(57)【要約】【課題】            曝気槽における汚泥濃度と、流量調整槽（脱窒槽）あるいは嫌気槽における汚泥濃度をそれぞれの適値に制御することができる膜分離装置を用いる生物学的処理方法および装置を提供する。【解決手段】        無酸素槽もしくは嫌気槽からなる流量調整槽１において槽内混合液を攪拌機３により攪拌し、曝気槽２において散気管１２から供給する空気により生起する上向流で膜分離装置９の膜面洗浄を行いながら槽内混合液を固液分離し、流量調整槽１と曝気槽２との間において槽内混合液を循環させて生物学的処理するに際し、流量調整槽１において凝集剤を伴う槽内混合液を攪拌し、攪拌後の一定時間の静置もしくは攪拌強度の調整によって水深方向の汚泥濃度勾配を形成し、所定水深下にある目標汚泥濃度の槽内混合液を曝気槽２へ供給することで流量調整槽１および曝気槽２の汚泥濃度をそれぞれ所定汚泥濃度に調整する。【選択図】          図１
2005279347.tif 000002
【特許請求の範囲】
【請求項１】
無酸素槽もしくは嫌気槽からなる第１の槽において槽内混合液を攪拌機により攪拌し、曝気槽からなる第２の槽において散気装置から供給する空気により生起する上向流で膜分離装置の膜面洗浄を行いながら槽内混合液を固液分離し、第１の槽と第２の槽との間において槽内混合液を循環させて生物学的処理をするに際し、
第１の槽において凝集剤を伴う槽内混合液を攪拌し、攪拌後の一定時間の静置もしくは攪拌強度の調整によって水深方向の汚泥濃度勾配を形成し、所定水深下にある目標汚泥濃度の槽内混合液を第２の槽へ供給することで第１の槽および第２の槽の汚泥濃度をそれぞれ所定汚泥濃度に調整することを特徴とする膜分離装置を用いる生物学的処理方法。
【請求項２】
攪拌機を配置した無酸素槽もしくは嫌気槽からなる第１の槽と、膜分離装置を浸漬した曝気槽からなる第２の槽と、前記攪拌機を制御して凝集剤を伴う槽内混合液を攪拌し、一定時間の静置後に、もしくは攪拌強度の調整によって第１の槽内に水深方向の汚泥濃度勾配を形成する攪拌制御装置と、目標汚泥濃度に相応する所定水深下の槽内混合液を第１の槽から第２の槽へ送液する送液手段と、第２の槽から第１の槽へ槽内混合液を返送する返送手段とを備えたことを特徴とする膜分離装置を用いる生物学的処理装置。
【発明の詳細な説明】
【技術分野】
【０００１】
本発明は膜分離装置を用いる生物学的処理方法および装置に関し、凝集剤を用いる反応槽内の汚泥濃度の制御、およびそれに伴う窒素除去、リン除去、省エネルギー運転、ならびに膜面閉塞の防止の技術に係るものである。
【背景技術】
【０００２】
従来、有機物、窒素濃度の高い窒素含有汚水を処理する方法として活性汚泥処理があり、膜分離装置を併用して槽内の活性汚泥濃度を高く維持する浸漬型膜分離活性汚泥処理設備がある。この設備は、前処理設備において夾雑物を除去した汚水を流量調整槽（脱窒槽）に貯留し、流量調整槽から槽内液を一定流量で曝気槽に供給するとともに、曝気槽から槽内液を流量調整槽へ返送して循環する間に生物学的脱窒し、曝気槽において膜分離装置で固液を分離し、ろ液を減菌槽を経て放流している。
【特許文献１】特開２００１−６２４７１
【発明の開示】
【発明が解決しようとする課題】
【０００３】
従来の構成において、曝気槽では散気装置から散気する空気によって上昇流を生じさせ、この上昇流によって槽内混合液を膜分離装置の膜面に対してクロスフローで供給しながら固液分離を行う。この際に、分離した固形分の付着に起因して膜面が閉塞することを防止するために、固気液混相の上昇流を膜面に掃流として作用させている。
【０００４】
曝気槽では膜分離装置により固液を分離する結果として汚泥濃度が高くなり、汚泥濃度の高まりによって膜面が閉塞する傾向が強くなる。このため、散気装置から散気する曝気空気量を増加させて上昇流の流速を上げる必要がある。
【０００５】
曝気槽における曝気空気量を増加させると、槽内混合液の溶存酸素濃度が高まり、曝気槽内の微生物によって消費する酸素量を超える分量の溶存酸素が残留し、この残留溶存酸素が槽内混合液とともに曝気槽から流量調整槽（脱窒槽）、あるいは他の構成では嫌気槽へ流入する。
【０００６】
曝気槽における曝気空気量（酸素供給量）を低減するためには曝気槽内の汚泥濃度を下げる必要がある。しかし、曝気槽と流量調整槽（脱窒槽）あるいは曝気槽と嫌気槽の間で槽内混合液が循環する構成において、膜分離装置を備えた曝気槽の汚泥濃度は流量調整槽（脱窒槽）あるいは嫌気槽の汚泥濃度より高く維持しており、曝気槽における汚泥濃度を下げると流量調整槽（脱窒槽）あるいは嫌気槽の汚泥濃度が従属的に低下する。流量調整槽（脱窒槽）あるいは嫌気槽の汚泥濃度の低下は、生物学的脱窒反応やリン除去等の処理能力を低下させる。
【０００７】
したがって、曝気槽では膜面閉塞を防止するために曝気空気量を増加させるか、汚泥濃度を低減させることが必要であり、流量調整槽（脱窒槽）あるいは嫌気槽では生物学的脱窒反応やリン除去を促進するために、槽内の汚泥濃度を高め、槽内混合液の溶存酸素濃度を低減することが必要であり、双方の槽において背反する課題がある。
【０００８】
本発明は上記した課題を解決するものであり、曝気槽における汚泥濃度と、流量調整槽（脱窒槽）あるいは嫌気槽における汚泥濃度をそれぞれの適値に制御することができる膜分離装置を用いる生物学的処理方法および装置を提供することを目的とする。
【課題を解決するための手段】
【０００９】
上記課題を解決するために、請求項１に記載する本発明の膜分離装置を用いる生物学的処理方法は、無酸素槽もしくは嫌気槽からなる第１の槽において槽内混合液を攪拌機により攪拌し、曝気槽からなる第２の槽において散気装置から供給する空気により生起する上向流で膜分離装置の膜面洗浄を行いながら槽内混合液を固液分離し、第１の槽と第２の槽との間において槽内混合液を循環させて生物学的処理をするに際し、
第１の槽において凝集剤を伴う槽内混合液を攪拌し、攪拌後の一定時間の静置もしくは攪拌強度の調整によって水深方向の汚泥濃度勾配を形成し、所定水深下にある目標汚泥濃度の槽内混合液を第２の槽へ供給することで第１の槽および第２の槽の汚泥濃度をそれぞれ所定汚泥濃度に調整するものである。
【００１０】
上記した構成により、第１の槽内では、凝集剤の添加によって槽内混合液中の汚泥が凝集してその沈降性が向上する。汚泥フロックの沈降性は一様ではなく、重量の大きいものほど短時間に沈降し、重量の小さいものほど沈降に時間を要する。
【００１１】
攪拌を停止して静置すると槽上部側では汚泥濃度が経時的に薄くなる傾向となり、槽底部側では汚泥濃度が経時的に濃くなる傾向となる。沈降開始後の一定時間が経過した時点において、第１の槽内には各汚泥フロックの沈降性の相違によって槽底部側ほど汚泥濃度が高くなる汚泥濃度勾配が形成される。
【００１２】
あるいは、攪拌強度を調整し、槽内混合液に与える上方への速度を調整することにより、ストークスの法則によって形状が大きく抵抗の大きな汚泥フロックほどに槽底部側に分布して汚泥濃度が高くなる汚泥濃度勾配が形成される。
【００１３】
一方、第２の槽では膜分離装置による固液分離によって膜透過液が槽外へ流出し、分離された汚泥が残留することで、汚泥濃度が経時的に濃くなる傾向となる。
このため、第１の槽から平均汚泥濃度より低い目標汚泥濃度に相応する所定水深下の槽内混合液を第２の槽へ送液し、第２の槽から汚泥濃度の高い槽内混合液を第１の槽へ返送することで、第１の槽の汚泥濃度が高まる。逆に第２の槽では槽内混合液が第１の槽から流入する汚泥濃度の低い槽内混合液で希釈されて汚泥濃度が低下する。
【００１４】
したがって、第２の槽をなす曝気槽では、汚泥濃度が低下することで膜面閉塞を防止するための曝気空気量を抑制し、槽内混合液の溶存酸素濃度を生物学的処理に必要な適値に維持できる。第１の槽をなす無酸素槽あるいは嫌気槽では、槽内の汚泥濃度が高まり、溶存酸素の消費が促進され、さらに第２の槽から流入する槽内混合液中の溶存酸素濃度が低下することで生物学的脱窒反応やリン除去が促進される。
【００１５】
さらに、第１の槽において槽内混合液を吸い込む水深を調整して、任意の目標汚泥濃度の槽内混合液を第１の槽から第２の槽へ送液することで、第１の槽をなす無酸素槽あるいは嫌気槽における汚泥濃度と、第２の槽をなす曝気槽における汚泥濃度とをそれぞれの適値に制御することができる。
【００１６】
ところで、膜分離装置の運転には膜が閉塞しにくい適切な汚泥濃度の範囲が存在し、汚泥濃度が適切な範囲よりも低くなる設備の初期運転の立ち上げ時には、汚泥濃度が運転に適する濃度範囲に達するまで、膜の閉塞を防ぎ、槽内での反応時間（槽内滞留時間）を確保するためにフラックスを抑制した運転を行う必要がある。この運転立ち上げ時に、第１の槽における汚泥濃度の高い槽内混合液を第２の槽へ送液することで、曝気槽の汚泥濃度の増加を早めることで短い期間で汚泥濃度を適切な範囲にして運転立ち上げ期間を短縮することができる。
【００１７】
請求項２に記載する本発明の膜分離装置を用いる生物学的処理装置は、攪拌機を配置した無酸素槽もしくは嫌気槽からなる第１の槽と、膜分離装置を浸漬した曝気槽からなる第２の槽と、前記攪拌機を制御して凝集剤を伴う槽内混合液を攪拌し、一定時間の静置後に、もしくは攪拌強度の調整によって第１の槽内に水深方向の汚泥濃度勾配を形成する攪拌制御装置と、目標汚泥濃度に相応する所定水深下の槽内混合液を第１の槽から第２の槽へ送液する送液手段と、第２の槽から第１の槽へ槽内混合液を返送する返送手段とを備えたものである。
【発明の効果】
【００１８】
以上のように本発明によれば、第１の槽をなす無酸素槽あるいは嫌気槽において汚泥濃度を高めつつ、第２の槽をなす曝気槽において汚泥濃度を低減するという、従来において背反する課題を同時に実現することができる。
【００１９】
このため、第２の槽をなす曝気槽において、汚泥濃度の低下によって膜面閉塞を防止するために必要な曝気空気量を抑制し、槽内混合液の溶存酸素濃度が生物学的処理に必要なもの以上となる過剰曝気を防止でき、省エネルギー運転が可能となる。あるいは、設備の初期運転の立ち上げ時には、第１の槽の汚泥濃度が槽内混合液を第２の槽へ送液することで、運転立ち上げ期間を短縮することができる。
【００２０】
また、第１の槽をなす無酸素槽あるいは嫌気槽において、槽内の汚泥濃度の高まり、および溶存酸素濃度の低下によって生物学的脱窒反応やリン除去を促進できる。
さらに、第１の槽から第２の槽へ送液する槽内混合液の目標汚泥濃度の選択によって、第１の槽をなす無酸素槽あるいは嫌気槽における汚泥濃度と、第２の槽をなす曝気槽における汚泥濃度とをそれぞれの適値となる所定範囲内で任意の値に制御できる。
【発明を実施するための最良の形態】
【００２１】
以下、本発明の実施の形態を図面に基づいて説明する。図１において、第１の槽をなす流量調整槽１は無酸素槽（脱窒槽）を兼ねており、第２の槽は曝気槽２からなる。
流量調整槽１は槽内に攪拌機３と送液手段をなす水中ポンプ４を配置しており、槽外に攪拌機３を制御する攪拌制御装置５および水中ポンプ４を制御する送液制御装置６を配置している。また、流量調整槽１には被処理液として下水、産業排水等を供給する原水供給系７および凝集剤を供給する薬品供給系８が連通している。薬品供給系８は原水供給系７、曝気槽２、後述する送液管路１４、返送管路１５に接続することも可能である。
【００２２】
曝気槽２は槽内に膜分離装置９を浸漬しており、膜分離装置９は膜充填部１０を有し、膜充填部１０には駆動圧（膜間差圧）を与える吸引ポンプ１１を接続している。この吸引ポンプ１１に代えて重力ろ過方式を採用することも可能である。膜充填部１０の下方には散気管１２を配置しており、散気管１２にはブロワ１３を接続している。
膜充填部１０は所定間隙をあけて平行に配列する膜カートリッジからなり、各膜カートリッジは濾板の表裏両側面に有機平膜を配置してなり、膜面を上下方向に沿わせて配置する。膜充填部１０にはセラミック膜やチューブ状の膜を使用することも可能である。
【００２３】
流量調整槽１と曝気槽２は水中ポンプ４の吐出側に接続した送液管路１４および返送手段をなす返送管路１５で連通し、曝気槽２の槽内混合液が槽内の水頭により返送管路１５を通して流量調整槽１へ流れる。曝気槽２には余剰汚泥を排出する汚泥排出系１６を設けている。
【００２４】
本実施の形態では水中ポンプ４を固定的に配置する構成を示しているが、索体を介してウインチ等の揚重手段によって水中ポンプ４を懸垂支持することも可能である。この場合には送液管路１４をフレキシブルなホース等で構成し、索体の巻揚げ、繰出しによって水中ポンプ４の位置を水深方向において変更することが可能となる。水中ポンプ４の移動は上述した構成に限るものではなく、公知の技術によって実現可能であり、詳細な説明を省略する。また、水中ポンプ４に代えて槽外にポンプを配置し、吸引側に接続したフレキシブルなホース等の先端の吸引口を水深方向に移動させることも可能である。
【００２５】
攪拌制御装置５は攪拌機３を制御して所定の攪拌強度で流量調整槽１の凝集剤を伴う槽内混合液を攪拌し、一定時間の静置によって流量調整槽１に水深方向の汚泥濃度勾配を形成する。この操作は一定の静置時間（インターバル）をあけて攪拌機３を間欠的に駆動することで、流量調整槽１に汚泥濃度勾配を繰り返し形成することも可能である。
【００２６】
目的とする汚泥濃度勾配を形成するのに必要な静置時間は予め実験によって求め、水中ポンプ４を配置した水深において目標汚泥濃度が形成される時間とする。
あるいは、攪拌制御装置５は攪拌機３を制御して流量調整槽１の凝集剤を伴う槽内混合液を攪拌し、攪拌強度の制御によって槽内混合液に与える上方への速度を調整することで汚泥濃度勾配を形成する。目的とする汚泥濃度勾配を形成するのに必要な攪拌強度は予め実験によって求め、水中ポンプ４を配置した水深において目標汚泥濃度が形成される攪拌強度とする。
【００２７】
目標汚泥濃度の選択変更は静置時間の変更および攪拌強度の変更によって実現できるが、流量調整槽１に所定の汚泥濃度勾配を形成する状態で水中ポンプ４を水深方向に移動させることによっても実現できる。
【００２８】
また、攪拌機３、水中ポンプ４、吸引ポンプ１１、ブロワ１３は制御装置（図示省略）によって統合的に制御することもでき、流量調整槽１もしくは曝気槽２に設置する汚泥濃度計測器（図示省略）から得る指標に基づいて制御装置で自動制御運転することも可能である。
【００２９】
以下、上記した構成における作用を説明する。流量調整槽１では、原水供給系７から流量調整槽１に流入する被処理液を攪拌機３により攪拌し、槽内混合液を水中ポンプ４により送液管路１４を通して曝気槽２に定量供給する。
【００３０】
曝気槽２では、ブロワ１３から供給する空気を散気管１２から槽内混合液に散気し、この曝気空気により生起する上向流で膜分離装置９の膜充填部１０に充填した膜カートリッジの膜面洗浄を行いながら膜分離装置９で槽内混合液を固液分離し、膜透過液を吸引ポンプ１１（重力ろ過方式においては水頭圧による）を通して槽外へ取り出す。曝気槽２の槽内混合液は返送管路１５を通して流量調整槽１に返送し、流量調整槽１と曝気槽２との間において槽内混合液を循環させて脱窒素処理する。
【００３１】
流量調整槽１は被処理液が流入することで汚泥濃度は薄くなる傾向にあり、曝気槽２は膜分離装置９による固液分離によって膜透過液が槽外へ流出し、分離された汚泥が残留することで、汚泥濃度が経時的に濃くなる傾向となる。
【００３２】
このため、以下の手順によって流量調整槽１から曝気槽２へ汚泥濃度が低い槽内混合液を送液し、流量調整槽１の汚泥濃度を高めるとともに、曝気槽２の汚泥濃度を低下させる。
【００３３】
流量調整槽１において薬品供給系８から凝集剤を供給し、凝集剤を伴う槽内混合液を攪拌機３で攪拌する。この凝集剤の添加によって槽内混合液中の汚泥が凝集してその沈降性が向上する。図２に示すように、凝集剤を添加しない場合Ａには時間が経過しても汚泥沈降率は余り変化しないが、凝集剤を添加した場合Ｂには比較的短時間において汚泥沈降率が高まる。
【００３４】
汚泥フロックの沈降性は一様ではなく、重量の大きいものほど短時間に沈降し、重量の小さいものほど沈降に時間を要する。攪拌を停止して静置すると槽上部側では汚泥濃度が経時的に薄くなる傾向となり、槽底部側では汚泥濃度が経時的に濃くなる傾向となる。沈降開始後の一定時間が経過した時点において、流量調整槽１の槽内には各汚泥フロックの沈降性の相違によって槽底部側ほど汚泥濃度が高くなる汚泥濃度勾配が形成される。
【００３５】
あるいは、攪拌強度を調整し、槽内混合液に与える上方への速度を調整することにより、ストークスの法則によって形状が大きく抵抗の大きな汚泥フロックほどに槽底部側に分布して汚泥濃度が高くなる汚泥濃度勾配が形成される。
【００３６】
この操作によって水中ポンプ４を配置した所定水深下に目標汚泥濃度の槽内混合液を形成し、その槽内混合液を水中ポンプ４によって曝気槽２へ供給する。先にも述べたが目標汚泥濃度の槽内混合液の取得は水中ポンプ４の移動によっても実現できる。
【００３７】
このように、流動調整槽１から平均汚泥濃度より低い目標汚泥濃度に相応する所定水深下の槽内混合液を曝気槽２へ送液し、曝気槽２から汚泥濃度の高い槽内混合液を流動調整槽１へ返送することで、流動調整槽１の汚泥濃度が高まる。逆に曝気槽２では槽内混合液が流動調整槽１から流入する汚泥濃度の低い槽内混合液で希釈されて汚泥濃度が低下する。したがって、無酸素槽をなす流量調整槽１では、槽内の汚泥濃度が高まり、かつ曝気槽２から流入する槽内混合液中の溶存酸素濃度が低下することで生物学的脱窒反応が促進される。
【００３８】
ここで、曝気槽２における汚泥濃度の時間変化の収支を説明する。
流入水量：Ｑｍ３／ｄ
送液量：（ｒ＋１）Ｑｍ３／ｄ
返送量：ｒＱｍ３／ｄ
余剰汚泥排出量（曝気槽からの排出）：ｗＱｍ３／ｄ
流出水量（膜透過液）：（１−ｗ）Ｑｍ３／ｄ
流量調整槽内汚泥濃度：ＸＡｍｇ／Ｌ
曝気槽内汚泥濃度：ＸＭｍｇ／Ｌ
曝気槽容量：Ｖｍ３
経過時間：ｔ
流出水中浮遊物質濃度：ＸＰｍｇ／Ｌ（通常は０ｍｇ／Ｌ）
とすると、曝気槽汚泥濃度の時間変化の収支式は下式となる。
ｄＸＭ／ｄｔ＝（ｒ＋１）Ｑ×ＸＡ−ｒＱ×ＸＭ−（１−ｗ）Ｑ×ＸＰ
定常状態でｄＸＭ／ｄｔ＝０、ＸＰ＝０を仮定すると、
ＸＭ＝（ｒ＋１）／（ｒ＋ｗ）×ＸＡ
となり、曝気槽２の汚泥濃度は流量調整槽１からの汚泥濃度によって制御可能となる。
【００３９】
また、曝気槽２では、汚泥濃度が低下することで膜面閉塞を防止するための曝気空気量を抑制し、槽内混合液の溶存酸素濃度を生物学的処理に必要な適値に維持できる。ここで、曝気空気量と槽内混合液の流速との関係を図３に示す。清水Ａの場合には少ない曝気空気量で高い流速を得ることができるが、ＭＬＳＳ１２０００ｍｇ／Ｌの槽内混合液の場合Ｂには流速が遅くなり、ＭＬＳＳ１５０００ｍｇ／Ｌの槽内混合液の場合Ｃではさらに流速が遅くなる。よって、汚泥濃度が低下するほどに少ない曝気空気量で膜面洗浄に必要な流速を得ることができる。
【００４０】
また、槽内混合液への酸素の溶解効率は次式で表される。
（汚泥への酸素溶解効率）＝α×（清水での酸素溶解効率）
αの値は０から１であり、汚泥濃度が低いと大きな値をとるので、汚泥濃度が低下すると酸素溶解効率が向上し、曝気空気量を減らすことができる。
【００４１】
また、曝気槽２の汚泥濃度が低くなることで活性汚泥が体内にもつ有機物を分解するための呼吸が少なくなり、必要酸素量をさらに低減することが可能となる。その結果、省エネルギー運転を実現することができる。
【００４２】
ところで、流動調整槽１において取水する槽内混合液の汚泥濃度は低いものに限らず、汚泥濃度の高い槽内混合液を曝気槽２へ送液して流動調整槽１および曝気槽２における汚泥濃度をそれぞれの適値に制御することも可能である。
【００４３】
例えば、膜分離装置２を用いる生物処理装置においては、槽内に活性汚泥を高濃度に保持することで粘性によるせん断力が上がり、膜面の洗浄効果を得ることができるが、設備の初期運転の立ち上げ時には槽内の汚泥濃度が低いのでせん断力が小さく、十分な洗浄効果を得ることができないため、汚泥濃度が通常運転に適する濃度範囲に達するまで、フラックスを抑制した運転を行う必要がある。しかし、運転立ち上げ時に、流量調整槽１における汚泥濃度の高い槽内混合液を曝気槽２へ送液することで、曝気槽２の汚泥濃度の増加を早めて運転立ち上げ期間を短縮することができる。
【００４４】
図４に本発明の他の実施の形態を示す。先の実施の形態において説明した構成と同様の作用を行うものには同一符号を付してその説明を省略する。図４においては、請求項１および２に記載する第１の槽として、無酸素槽もしくは嫌気槽をなす反応槽２０を設け、流量調整槽１から反応槽２０へ被処理液を定量供給する定量供給系２１を設け、反応槽２０と曝気槽２との間において槽内混合液を循環する。この場合に流量調整槽１を無酸素槽とし、反応槽２０を嫌気槽とし、曝気槽２から流量調整槽１への返送手段を設けることで、曝気槽２の前段に嫌気槽と無酸素槽の両方を設置することも可能である。薬品供給系８は原水供給系７、曝気槽２、送液管路１４、返送管路１５に接続することも可能である。
【００４５】
この構成においても、先の実施の形態において説明したものと同様の操作によって、曝気槽２の汚泥濃度を低減することで、膜面閉塞を防止するための曝気空気量を抑制でき、酸素溶解効率の向上により曝気空気量を減らすことができ、活性汚泥の呼吸のための必要酸素量を低減できる。
【００４６】
この結果、反応槽２０へ返送される槽内混合液に含まれる溶存酸素濃度を極力抑制して、反応槽２０を無酸素槽もしくは嫌気槽として運転することが可能となる。よって、反応槽２０を無酸素槽として運転し、曝気槽（好気槽）２における硝化反応および反応槽（無酸素槽）２０における脱窒反応によって窒素除去を行う。また、よって反応槽２０を嫌気槽として運転し、反応槽（嫌気槽）２０と曝気槽（好気槽）２とにおいて活性汚泥を循環し、反応槽（嫌気槽）２０において活性汚泥から放出するリンを曝気槽（好気槽）２において活性汚泥に過剰に摂取させ、曝気槽（好気槽）２から余剰汚泥を引抜くことで汚泥とともにリンを除去する。
【００４７】
これらの反応において、反応槽２０において汚泥濃度勾配を形成して汚泥濃度の低い槽内混合液を曝気槽２へ送液し、曝気槽２から汚泥濃度の高い槽内混合液を返送することで、反応槽２０の汚泥濃度を高めて生物学的脱窒素処理、生物学的脱りん処理を促進することができる。また汚泥濃度を高めることで反応槽２０の容量を小さくすることが、次式に示すように、可能である。
（反応槽容量）＝（窒素負荷）／（脱窒速度）／（ＭＬＳＳ濃度）
図５に本発明の他の実施の形態を示す。先の実施の形態において説明した構成と同様の作用を行うものには同一符号を付してその説明を省略する。図５においては、反応槽２０と曝気槽２とを水深方向に沿った適当間隔の複数箇所においてそれぞれバルブ３１を介して接続し、各バルブ３１を開閉操作するバルブ制御装置３２を設け、曝気槽２から水中ポンプ４によって槽内混合液を反応槽２０へ返送し、反応槽２０の水位を曝気槽２より高く維持する。
【００４８】
この構成により、各バルブ３１を選択的に開放することで反応槽２０の水深方向の特定部分の槽内混合液を曝気槽２へ返送することができる。よって、反応槽２０において汚泥濃度勾配を形成して汚泥濃度の低い槽内混合液を曝気槽２へ返送し、曝気槽２から汚泥濃度の高い槽内混合液を返液することが可能となる。
【図面の簡単な説明】
【００４９】
【図１】本発明の実施の形態における膜分離装置を用いる生物学的処理装置を示す模式図
【図２】凝集剤が汚泥沈降におよぼす効果を示すグラフ図
【図３】汚泥濃度が流速におよぼす影響を示すグラフ図
【図４】本発明の他の実施の形態における膜分離装置を用いる生物学的処理装置を示す模式図
【図５】本発明の他の実施の形態における膜分離装置を用いる生物学的処理装置を示す模式図
【符号の説明】
【００５０】
１    流量調整槽
２    曝気槽
３    攪拌機
４    水中ポンプ
５    攪拌制御装置
６    送液制御装置
７    原水供給系
８    薬品供給系
９    膜分離装置
１０    膜充填部
１１    吸引ポンプ
１２    散気管
１３    ブロワ
１４    送液管路
１５    返送管路
１６    汚泥排出系
２０    反応槽
２１    定量供給系
３１    バルブ
３２    バルブ制御装置
【図１】
2005279347.tif 000003
【図２】
2005279347.tif 000004
【図３】
2005279347.tif 000005
【図４】
2005279347.tif 000006
【図５】
2005279347.tif 000007